(57)【要約】【課題】文字記号等の表示部がより効果的に立体的に見え、更に幻想的な表示もできるキートップであって、使用場所にかかわらず、その立体的、幻想的な表示を安定して実現できるキートップを提供する。【解決手段】基板側から操作面側への照光の透過により文字、数字、記号、図形、その他の形状または模様（以下、「表示物」という）を表示可能なキートップであって、操作面側と基板側との間の方向を高さ方向とし、操作面側を上側、基板側を下側とした場合において、操作面６ａのよりも下側であって高さ方向の位置が異なる少なくとも２箇所に表示層が備えられ、下側表示層３２は、透光性または遮光性を有する塗膜層に抜き文字により表された表示物３２ａ、または透光性を有する塗膜層を用いて描かれた表示物を含み、上側表示層３０）は、透光性または遮光性を有する塗膜層を用いて描かれた表示物を含むキートップを提供する。【選択図】図２
2008171609.tif 000002
【特許請求の範囲】
【請求項１】
基板側から操作面側への照光の透過により文字、数字、記号、図形、その他の形状または模様（以下、「表示物」という）を表示可能なキートップであって、
前記操作面側と前記基板側との間の方向を高さ方向とし、前記操作面側を上側、前記基板側を下側とした場合において、
前記操作面のよりも下側であって高さ方向の位置が異なる少なくとも２箇所に表示層が備えられ、
下側の前記表示層（以下、「下側表示層」という）は、透光性または遮光性を有する塗膜層に抜き文字により表された表示物、または透光性を有する塗膜層を用いて描かれた表示物を含み、
上側の前記表示層（以下、「上側表示層」という）は、透光性または遮光性を有する塗膜層を用いて描かれた表示物を含むことを特徴とするキートップ。
【請求項２】
前記下側表示層を透過した前記照光が拡散及び／または散乱することによって、前記上側表示層の位置で、前記下側表示層に描かれた表示物が、広がった状態及び／または輪郭が漠然とした状態で表されることを特徴とする請求項１に記載のキートップ。
【請求項３】
前記下側表示層を透過した前記照光が収束または斜行することによって、前記上側表示層の位置で、前記下側表示層に描かれた表示物が、縮小した状態、変形した状態、または位置が移動した状態で表されることを特徴とする請求項１に記載のキートップ。
【請求項４】
高さ方向において分割された少なくと２つのキートップ部材を有し、下側の前記キートップ部材（以下、「下側キートップ部材」という）の下面に前記下側表示層が備えられ、上側の前記キートップ部材（以下、「上側キートップ部材」という）の下面及び／または前記下側キートップ部材の上面に前記上側表示層が備えられることを特徴とする請求項１から４の何れか１項に記載のキートップ。
【請求項５】
前記上側キートップ部材と前記下側キートップ部材とが異なる材質から構成されることを特徴とする請求項４に記載のキートップ。
【発明の詳細な説明】
【技術分野】
【０００１】
携帯電話や携帯情報端末装置（ＰＤＡ：Ｐｅｒｓｏｎａｌ  Ｄｉｇｉｔａｌ  Ａｓｓｉｓｔａｎｃｅ）を始めとする携帯用電子機器の押し釦スイッチに用いられる部材に関し、特に、基板側からの照光（バックライト）により文字、数字、記号、図形、その他の形状または模様が照らし出されるキートップ、並びにこのキートップを備えたキーシート及び押し釦スイッチに関する。
【背景技術】
【０００２】
携帯電話や携帯情報端末装置（ＰＤＡ）を始めとする携帯用電子機器の押し釦スイッチの部品として、キーシートが広く用いられている。このキーシートは、通常、樹脂材料からなるキートップと、シリコーンゴム、熱可塑性エストラマー等の弾性材料からなるキーベースとが接合されて形成されている。キーベースは、通常、下面に押圧突起が設けられ、この押圧突起を介して、基板に設けられた皿状接点を押圧して、スイッチを接続させることができる。これにより、キーシートが押し釦スイッチの機能を果たすことができる。
【０００３】
このようなキーシートを構成するキートップの中には、透明な樹脂製のキートップであって、キートップの表面に文字記号等が描かれた表示部が設けられ、キートップの裏面に有色層が設けられて、表示部の影が有色層に映るようにしたものが提案されている。（例えば、特許文献１参照。）
【特許文献１】特開２００２−４２５９８号
【発明の開示】
【発明が解決しようとする課題】
【０００４】
特許文献１に記載されたキートップでは、キートップの外側からの光（例えば、屋内であれば照明光、屋外であれば太陽光）が透明なキートップの中に入射して、キートップ表面に描かれた文字記号等の表示部の影が、キートップ裏面の着色層に映し出される。このことにより、キートップ表面の表示部とその影とがずれて見えて、表示部が立体的に見えるという効果を有する。
しかし、キートップの外側から入る光による表示部の影が見えるだけなので、操作者が感じる立体感は非常に限定的なものである。また、キートップの外側から入る光は、使用場所によって変化するので、常に適切な影の効果を得ることは難しい。
【０００５】
従って、本発明の目的は、上述の問題を解決して、文字記号等の表示部がより効果的に立体的に見え、更に幻想的な表示もできるキートップであって、使用場所にかかわらず、その立体的、幻想的な表示を安定して実現できるキートップ、並びにこのキートップを備えたキーシート及び押し釦スイッチを提供することにある。
【課題を解決するための手段】
【０００６】
上述の課題を解決するため、本発明に係るキートップの１つの実施態様は、基板側から操作面側への照光の透過により文字、数字、記号、図形、その他の形状または模様（以下、「表示物」という）を表示可能なキートップであって、前記操作面側と前記基板側との間の方向を高さ方向とし、前記操作面側を上側、前記基板側を下側とした場合において、前記操作面のよりも下側であって高さ方向の位置が異なる少なくとも２箇所に表示層が備えられ、下側の前記表示層（以下、「下側表示層」という）は、透光性または遮光性を有する塗膜層に抜き文字により表された表示物、または透光性を有する塗膜層を用いて描かれた表示物を含み、上側の前記表示層（以下、「上側表示層」という）は、透光性または遮光性を有する塗膜層を用いて描かれた表示物を含むことを特徴とする。
【０００７】
ここで、「キートップ」とは、押し釦スイッチの押し釦部分に相当する部材であり、「文字、数字、記号、図形、その他の形状または模様」には、携帯電話や携帯情報端末装置（ＰＤＡ）を始めとする携帯用電子機器の押し釦に用いられるあらゆる表示物が含まれる。
また、「抜き文字」とは、背景となる着色部分の一部が取り除かれて、背景の着色部分によって縁取られ、形作られた形状を意味する。表される形状は文字に限られるものではなく、上述の数字、記号、図形、その他の形状または模様を含むあらゆる表示物を、抜き文字で表すことができる。この抜き文字部分については、透明にすることもできるし、所望の着色を施すこともできる。
【０００８】
「高さ方向の位置が異なる少なくとも２箇所に表示層が備えられ」については、高さ方向の位置が異なる２箇所に備えられた表示層であってもよいし、高さ方向の位置が異なる３箇所以上に備えられた表示層であってもよい。また、これらの表示層を設ける手段としては、後述するように、高さ方向で分割された複数のキートップ部材に表示層を設けて、それらのキートップ部材を接合することにより形成することが可能である。この場合、２個のキートップ部材を用いることもできるし、３個以上の任意の数のキートップ部材を用いることもできる。また、キートップ部材どうしを接合する接合面については、平面であってもよいし、曲面であってもよく、任意の形状の接合面を用いることができる。
複数の表示層を設けるその他の方法としては、射出成型の途中で、キートップの内部に表示層を設けて、一体的にキートップを形成することも可能である。また、高さ方向の位置が異なる複数の表示層を設けることができる方法であれば、その他のあらゆる方法を用いることができる。
【０００９】
下側表示層における「透光性または遮光性を有する塗膜層に抜き文字により表された表示物」には、透光性または遮光性を有する塗膜層を用いた背景部分の中に、抜き文字で表示物が表された場合が考えられる。また、下側表示層における「透光性を有する塗膜層を用いて描かれた表示物」には、透光性を有する塗膜層を用いた背景部分に、透光性を有する塗膜層を用いた表示物が描かれた場合も考えられるし、透光性を有する塗膜層を用いた表示物だけが描かれた場合も考えられるし、それらを組み合わせた場合も考えられる。
【００１０】
また、上側表示層における「透光性または遮光性を有する塗膜層を用いて描かれた表示物」には、透光性または遮光性を有する塗膜層を用いた背景部分に、透光性または遮光性を有する塗膜層を用いた表示物が描かれた場合も考えられるし、透光性または遮光性を有する塗膜層を用いた表示物だけが描かれた場合も考えられるし、それらを組み合わせた場合も考えられる。ただし、下側表示層の表示物の少なくとも一部が、操作面側から視認できるような態様で、上側表示層を設ける必要がある。
【００１１】
本実施形態では、操作面よりも下側であって高さ方向の位置が異なる少なくとも２箇所に表示層が備えられ、高さの異なる表示層に設けられた表示物を、操作面側から視認することができる。このとき、基板側から操作面側への照光（バックライト）は、必ずしも垂直上方へ進むとは限らないので、各表示層に描かれた表示物は、操作面上に表された場合に、その大きさが変化したり、輪郭の鮮明さが変化したり、形状が変化したり、表示位置が変化したりする場合がある。また、各表示層から操作面までの距離が異なるので、上述の変化の度合いは、各表示層によって異なる。
【００１２】
従って、操作面側から見ると、各表示層に描かれた表示物の大きさ、輪郭の鮮明さ、形状、表示位置等が異なり、従来に比べて表示物をより立体的に表すことができ、また表示物をより幻想的に表すことができるので、意匠的に優れた押し釦スイッチを提供することができる。
更に、基板側から操作面側への照光（バックライト）を用いてキートップを照らし出すので、暗所でも表示物を視認して押し釦スイッチの操作が可能であり、また、例えば屋内、屋外といった使用場所にかかわらず、その立体的、幻想的な表示を安定して実現できる。
【００１３】
本発明に係るキートップのその他の実施態様は、前記下側表示層を透過した前記照光が拡散及び／または散乱することによって、前記上側表示層の位置で、前記下側表示層に描かれた表示物が、広がった状態及び／または輪郭が漠然とした状態で表されることを特徴とする。
【００１４】
本実施態様では、上側表示層の位置において、下側表示層に描かれた表示物が、広がった状態及び／または輪郭が漠然とした状態で表されるので、例えば、あたかも、上側表示層の表示物が、下側表示層の表示物で作られたキートップの内部空間に浮かんだように表すことができ、表示物をより立体的に表したり、幻想的に表したりすることができる。これにより、意匠的に優れた押し釦スイッチを提供できる。
【００１５】
本発明に係るキートップのその他の実施態様は、前記下側表示層を透過した前記照光が収束または斜行することによって、前記上側表示層の位置で、前記下側表示層に描かれた表示物が、縮小した状態、変形した状態、または位置が移動した状態で表されることを特徴とする。
【００１６】
本実施態様では、上側表示層の位置において、下側表示層に描かれた表示物が、縮小した状態、変形した状態、または位置が移動した状態で表されるので、操作者の目を引くような変化に飛んだ態様で表示物を表すことができ、これにより、意匠的に優れた押し釦スイッチを提供できる。
【００１７】
本発明に係るキートップのその他の実施態様は、高さ方向において分割された少なくと２つのキートップ部材を有し、下側の前記キートップ部材（以下、「下側キートップ部材」という）の下面に前記下側表示層が備えられ、上側の前記キートップ部材（以下、「上側キートップ部材」という）の下面及び／または前記下側キートップ部材の上面に前記上側表示層が備えられることを特徴とする。
【００１８】
本実施態様では、予め表示層を設けたキートップ部材を接合することによって、特別な製造技術を用いずに、高さ方向の位置が異なる複数の表示層を有する表示層を得ることができるので、低い製造コストで容易にキートップを製造することができる。
【００１９】
本発明に係るキートップのその他の実施態様は、前記上側キートップ部材と前記下側キートップ部材とが異なる材質から構成されることを特徴とする。
【００２０】
ここで、上側キートップ部材と下側キートップ部材とが異なる材質から構成される場合として、例えば、上側キートップ部材に比較的硬い材料を用いて、対磨耗性を高め、下側キートップ部材に比較的柔らかい材料を用いて、対衝撃性を高めることが考えられる。また、上側キートップ部材及び下側キートップ部材の材質を異なるようにすることによって、意匠的にもバリエーションに富んだ、優れたキートップを提供することもできる。
以上のように、上側キートップ部材及び下側キートップ部材に関して、その使用目的や衣装的効果を考慮して、それぞれ最適な材料を組み合わせることができるので、コスト的にも、押し釦としての性能的にも、意匠的にも優れた押し釦スイッチを提供することができる
【発明の効果】
【００２１】
以上のように、本発明に係るキートップにおいては、押し釦の操作面上で、各表示層に描かれた表示物の大きさ、輪郭の鮮明さ、形状、表示位置等が異なり、表示物を、従来に比べてより立体的に表すことができ、また幻想的に表すことができるので、意匠的に優れた押し釦スイッチを提供することができる。
更に、基板側から操作面側への照光（バックライト）を用いてキートップを照らし出すので、暗所でも表示物を視認して押し釦スイッチの操作が可能であり、また例えば、屋内、屋外といった使用場所にかかわらず、その立体的、幻想的な表示を安定して実現できる。
【発明を実施するための最良の形態】
【００２２】
本発明に係るキートップ、並びにこのキートップを備えたキーシート及び押し釦スイッチの実施形態について、以下に図面を用いながら詳細に説明する。
【００２３】
（本発明に係るキーシートの実施形態の説明）
＜キーシートの全体構造の説明＞
まず、図１及び図２を用いて、本発明に係るキーシートの１つの実施形態の全体構造を説明する。図１は、本発明に係るキーシートの１つの押し釦部分を側面から見た側面断面図であり、図２は、その分解状態を示す側面断面図である。なお、以降の説明においては、操作面側（矢印Ａ参照）と基板側（矢印Ｂ参照）との間の方向を高さ方向とし、操作面側を上側、基板側を下側とよぶ。
【００２４】
キーシート２は、操作面側（上側）に上側キートップ部材６を備え、その下面に接着層３４を介して、下側キートップ部材８が接合されている。接着層３４により互いに接合された上側キートップ部材６と下側キートップ部材８とにより、キートップ４が構成される。
更に、下側キートップ部材６の下面には、接着層３６を介して、キーベース１０が接合されている。本実施形態では、キーベース１０が、押し釦全体の領域をカバーするようにシート状に一体成型されており、各々が押し釦となる複数のキートップ４が、キーベース１０上の所定位置に配置、固定されている。以上のように構成されたキートップ４とキーベース１０とによって、キーシート２が構成される。
【００２５】
また、キーベース１０の下面には押圧突起１０ａが設けられ、この押圧突起１０ａが、基板１６に設けられた皿状接点１４（例えば、図９参照）の頂部に接している。操作者がキートップ４の操作面６ａを押動／開放操作することによって、この押圧突起１０ａを介して、皿状接点１４を押圧／開放することができ、押し釦スイッチのオン／オフ操作を行なうことができる。
図１の矢印に示すように、本実施形態のキーシート２は、基板側からの照光（バックライト）により、キートップ４に描かれた文字、数字が下側から照らし出されるようになっている。特に、本実施形態では、キートップ４の操作面６ａよりも下側であって、高さ方向の位置が異なる２箇所に、上側表示層３０と下側表示層３２とが設けられている。なお、これらの表示層の詳細な説明は後述する。
【００２６】
＜キーシート２の各部材の材料、寸法の説明＞
上側キートップ部材６及び下側キートップ部材８は、バックライトが基板側（下側）からが操作面６ａ側（上側）に透過できるように、透明または透光性を有する材料から形成される。また、対衝撃性、操作性、手触り等の観点から、ある程度の可撓性を有する材料を用いることが好ましい。
上側キートップ部材６及び下側キートップ部材８の具体的な材料としては、透明または透光性を有する可撓性材料であればあらゆる材料を用いることができるが、製造コスト等を考慮すると、樹脂を用いることが好ましい。
【００２７】
上側キートップ部材６及び下側キートップ部材８に用いる樹脂材料としては、例えば、ポリカーボネイト（ＰＣ）系樹脂、ポリエチレンテフタレート（ＰＥＴ）系樹脂、ポリブチレンテフタレート（ＰＢＴ）系樹脂、ナイロン系樹脂、プロポリプレン（ＰＰ）系樹脂、フッ素（ＰＦＡ／ＦＥＰ）系樹脂、ポリオリフィン系樹脂を始めとするあるゆる樹脂を用いることができ、これらの樹脂の混合物を用いることもできる。
【００２８】
ここで、上側キートップ部材６及び下側キートップ部材８として、同一の材料を用いることもできるし、異なる材料を用いることもできる。同一の材料を用いる場合には、製造コストの点で有利であり、統一感のある合理的なキートップ４を得ることができる。
また、異なる材料を用いる場合であれば、例えば、上側キートップ部材４に比較的硬い材料を用いて、対磨耗性を高め、下側キートップ部材６に比較的柔らかい材料を用いて、対衝撃性を高めることが可能になる。また、上側キートップ部材４及び下側キートップ部材６において、材質、透光性、色彩等を異なるようにすることによって、趣向の異なる外観を得ることができ、更に、様々な組み合わせも可能になるので、意匠的にも優れたキートップ４を得ることができる。
【００２９】
キーベース１０についても、光源からの照光を上方へ送って、キートップ４へ供給する必要があるので、透明または透光性を有する材料から形成する必要がある。特に、本実施形態では、シート状をなすキーベース１０の所定の位置に光源１８が取り付けられており（例えば、図９参照）、キーベース１０は、光源１８から各キートップ４へ照光を伝送するための導光板（「ライトガイド」ともいう）の役割も果たしている。この構造によって、各々のキートップ４から離隔した位置に光源１８を配置することができ、更に、１つの光源１８で複数のキートップ４のバックライトを供給することができるので、従来に比べて、光源１８の数を減らすことができる。
なお、光源１８からの照光の伝送については、図９〜図１１を用いて、追って詳細に説明する。
【００３０】
このキーベース１０材料としては、柔軟な押し釦の操作感覚を得るため、弾性材料が用いることが好ましい。この弾性材料としては、例えば、シリコーンゴムや熱可塑性エストラマーを用いることが考えられる。ここで、熱可塑性エストラマーは、加硫を要しないという特徴があり、具体的には、ポリスチレン系エストラマー、ポリオロフィン系エストラマー、ポリエステル系エストラマー、ポリウレタン系エストラマー、ポリアミド系エストラマーを用いることができる。
【００３１】
また、上側キートップ部材６と下側キートップ部材８とを接合する接着層２４に用いる接着剤としては、例えば、樹脂同士の接着に適した接着剤であれば、あらゆる接着剤を用いることができる。また、下側キートップ部材８とキーベース１０とを接合する接着層２６に用いる接着剤としては、ゴムや熱可塑性エストラマーと樹脂との接着に適した接着剤であれば、あらゆる接着剤を用いることができる。接着層２４及び接着層２６としては、上側キートップ部材６、下側キートップ部材８、及びキーベース１０と同様に、何れも透明または透光性を有する材料を用いる必要がある。
【００３２】
本実施形態におけるキーシート２を形成する各部材の厚みを例示すれば、上側キートップ部材６の厚みとして、０．１ｍｍ〜１０ｍｍが考えられ、下側キートップ部材８の厚みとして、０．１ｍｍ〜１０ｍｍが考えられ、キーベース１０の厚み（キーベース１０の上面から押圧突起１０ａの下面までの寸法）として、０．０２ｍｍ〜３０ｍｍが考えられる。
【００３３】
（各表示層の説明）
＜上側表示層３０及び下側表示層３２の説明＞
次に、図１及び図２を用いて、キートップ４に設けられた上側表示層３０及び下側表示層３２の詳細な説明を行なう。本実施形態においては、上側表示層３０は、スクリーン印刷により上側キートップ部材６の下面に設けられ、下側表示層３２は、スクリーン印刷により上側キートップ部材６の下面に設けられている。各表示層を設ける手段としては、スクリーン印刷に限られるものではなく、グラビア印刷、オフセット印刷、パット印刷、ホットスタンプを始めとする各種の印刷技術や、蒸着等を用いることができる。
【００３４】
図２に示すように、本実施形態では、上側表示層３０として、上側キートップ部材６の下面に、透光性を有する塗膜層を用いて「２、か、ＡＢＣ」の文字、数字が描かれている。なお、「２、か、ＡＢＣ」の文字、数字は、携帯電話の１つの押し釦に一般的に表示されるものである。
一方、下側表示層３２として、下側キートップ部材８の下面に、透光性を有する塗膜層を用いて設けられた背景の着色部分に、「２、か、ＡＢＣ」の文字、数字が抜き文字で表されている。なお、本実施形態では、上側表示層３０及び下側表示層３２に、同じ文字、数字が同じ大きさ、配置で表示されている。
【００３５】
以上のような上側表示層３０及び下側表示層３２を有するキートップ４において、基板側（下側）から操作面６ａ側（上側）へ向けて照光（バックライト）を透過させる。この状態を図４に示す。
図４では、キーベース１０から照光が上方へ進み、下側表示層３２の抜き文字部分３２ａを通過する。このとき、下側表示層３２の下面の細かな凹凸によって、照光は、図４の矢印に示すように、拡散及び散乱しながら上方へ進む。また、抜き文字部分３２ａに、例えば、白色塗料による散乱膜（反射側で言えば乱反射膜）を設けることによって、更に拡散及び散乱を促進することができる。
【００３６】
以上により、下側表示層３２において抜き文字で描かれた文字、数字３２ａは、上側表示層３０の位置において、元の大きさよりも広がり、更に、照光が散乱するので、輪郭が漠然とした状態で表される。ここで、上側表示層３０及び下側表示層３２に描かれた文字、数字の大きさは同じなので、上側表示層３０の位置では、下側表示層３２に描かれた文字、数字の方が大きく、漠然とした態様で表される。
そして、上側表示層３０の位置を通過した照光は、拡散及び散乱を伴いながら、更に上方へ進んで操作面６ａに達する。これによって、下側表示層３２に抜き文字で描かれた文字、数字３２ａが、輪郭が漠然とした、広がった状態で操作面６ａ上に表される。
【００３７】
同様に、下側表示層３２の背景の着色部分を透過した照光も、拡散及び散乱しながら上方へ進み、上側表示層３０の位置を通過して操作面６ａに達する。このような照光によって、背景の着色部分も操作面６ａ側から視認することができる。
同様に、下側表示層３２の背景の着色部分または抜き文字部分３２ａを透過した照光も、拡散及び散乱しながら上方へ進み、上側表示層３０に描かれた文字、図形を透過して操作面６ａに達する。このような照光によって、上側表示層３０に描かれた文字、数字も、操作面６ａ側から視認することができる。この場合、上側表示層３０と操作面６ａとの間の距離は、下側表示層３２と操作面６ａとの間の距離よりも短いので、上側表示層３０に描かれた文字、数字は、あまり広がることなく比較的はっきりとした状態で、操作面６ａ上に表される。
【００３８】
以上のようにして、バックライトで照らし出されたキートップ４を操作面６ａ側から見たところを、図３に示す。図３においては、下側表示層３２の背景の着色部分から透過した照光によって、押し釦は、全体的にこの背景の色で占められる。また、抜き文字部分３２ａを透過した照光が拡散及び散乱して上方へ進むので、抜き文字で描かれた「２、か、ＡＢＣ」の文字、数字が、輪郭が漠然とした、広がった状態で、明るく照らし出される。
【００３９】
そして、この抜き文字で描かれた文字、数字が、漠然とした状態で明るく広がった領域に、上側表示層３０に描かれた「２、か、ＡＢＣ」の文字、数字が、比較的くっきりと浮かび上がる。この上側表示層３０の文字、数字は、透光性を有する塗膜層によって描かれているので、透過光によって、文字、数字が更にあざやかに浮かび上がる。従って、「２、か、ＡＢＣ」の文字、数字が、あたかも、抜き文字部分が明るく広がったキートップ４の内部空間に浮かんでいるように見え、操作者の目を引く装飾性の高い押し釦を提供することができる。
【００４０】
更に、本実施形態では、バックライトによってキートップ４内に描かれた文字、数字が表示されるので、暗い場所で使用する場合でも視認可能であり、どのような場所でも押し釦スイッチの操作が可能である。更に、使用場所が、例えば屋内であっても屋外であっても、使用する場所を問わずに、意匠性に優れた表示を常に安定して提供することができる。
【００４１】
＜表示層のその他の実施形態の説明＞
上述の実施形態では、上側表示層３０に示された文字、数字が、透光性を有する塗膜層を用いて描かれているが、これに限られるものではなく、遮光性を有する塗膜層を用いることもできる。また、透光性または遮光性を有する塗膜層を用いた背景部分に、透光性または遮光性を有する塗膜層を用いた文字、数字を描くこともできる。また、これらを組み合わせることもできる。ただし、下側表示層３２の文字、数字等が、操作面６ａ側から視認できるように、上側表示層３０を設ける必要がある。
【００４２】
上述の実施形態では、下側表示層３２において、透光性を有する塗膜層を用いて描かれた背景に、文字、数字３２ａが抜き文字で表されているが、これに限られるものではなく、例えば、遮光性を有する塗膜層を用いて描かれた背景に、文字、数字３２ａを抜き文字で表すこともできる。この場合、押し釦の外側から入る光が反射して、背景部分を視認することができる。従って、比較的暗い背景の中に、抜き文字部分３２ａを明るく浮かび上がらせることができる。
また、抜き文字を用いずに、透光性を有する塗膜層を用いた背景に透光性を有する塗膜層を用いた文字、数字を描くこともできるし、透光性を有する塗膜層を用いて文字、数字のみを描くこともできるし、それらを組み合わせることもできる。
【００４３】
上述の実施形態では、上側表示層３０及び下側表示層３２に、同じ文字、数字が同じ大きさ、配置で描かれていたが、これに限られるものではなく、上側表示層３０及び下側表示層３２において、異なる文字、数字を描くこともできるし、異なる大きさ、配置で描くこともできる。例えば、同じ文字、数字において、下側表示層３２に描かれた文字、数字のサイズを予め大きくしておくことも考えられるし、上側表示層３０及び下側表示層３２に描かれた図形を組み合わせることによって、初めて１つの文字、数字を表すことも考えられる。
【００４４】
更に、上側表示層３０の下面、及び下側表示層３２の上面に反射手段を設けて、上側表示層３０の下面に達した照光を反射させ、その反射した照光を、下側表示層３２の上面で更に反射させて、操作面６ａに到達させることもできるし、上側表示層３０と下側表示層３２との間で、何回か反射を繰り返してから操作面６ａに到達させることもできる。これによって、複数の表示物が重なった複雑な表示を行なうこともできる。
なお、上述の実施形態では、一例として、キートップ４に数字、文字を描いているが、これに限られるのではなく、携帯電話や携帯情報端末装置（ＰＤＡ）を始めとする携帯用電子機器の押し釦に用いられる、あらゆる文字、数字、記号、図形、その他の形状または模様を表示することができる。
【００４５】
また、上述の実施形態では、上側キートップ部材６の下面に、上側表示層３０を設けているが、これに限られることはなく、例えば、下側キートップ部材８の上面に、上側表示層３０を設けることもできし、上側キートップ部材６の下面及び下側キートップ部材８の上面の両方に設けることもできる。なお、各塗膜層では、接着性を向上させるため、接着面に押さえ印刷層を設けることもできる。
【００４６】
また、上述の実施形態では、上側キートップ部材６と下側キートップ部材８とを接合してキートップ４を形成しているが、これに限られるものではなく、例えば、射出成型工程の途中で表示層を設けるといった手法によって、内部に表示層を有する一体的なキートップを形成することもできる。
また、上述の実施形態では、上側表示層３０及び下側表示層３２の２つの表示層を有しているが、これに限られるものではなく、高さ方向の位置が異なる任意の数の複数の表示層を設けることができる。
【００４７】
（照光の進行方向の変更手段を備えたキートップの実施形態の説明）
次に、下側表示層３２の抜き文字部分３２ａを通過した照光を、所望の進行方向へ進ませるための手段を備えたキートップ４の実施形態の構造を、図５〜図８を用いて説明する。
【００４８】
＜照光の進行方向の変更手段を備えたキートップの第１の実施形態の説明＞
まず、照光の進行方向の変更手段を備えたキートップの第１の実施形態の構造を、図５に示す。図５に示すキートップ４の実施形態では、下側キートップ部材８の下面、特に下側表示層３２の抜き文字３２ａの領域に、凹凸面４０を設けて、下側表示層３２を通過した照光が、より確実に拡散及び散乱するようにしている。更に、この凹凸面４０の部分に、例えば、白色塗料による散乱膜を設けることもできる。本実施形態によって、下側表示層３２に描かれた抜き文字の形状を、上側表示部３０の位置において、更に確実に、輪郭が漠然とした、広がった状態で表すことができる。
【００４９】
＜照光の進行方向の変更手段を備えたキートップの第２の実施形態の説明＞
次に、照光の進行方向の変更手段を備えたキートップの第２の実施形態の構造を、図６に示す。図６に示すキートップ４の実施形態では、下側キートップ部材８の下面、特に下側表示層３２の抜き文字部分３２ａの領域に、下側に突起した凸面４２を設けて、下側表示層３２を通過した照光が、収束する方向に進むようにしている。本実施形態によって、下側表示層３２に描かれた抜き文字の形状が、上側表示部３０の位置において、下側表示部３２に描かれた元の大きさよりも小さく、更に輪郭がくっきりとした状態で表すことができる。
【００５０】
＜照光の進行方向の変更手段を備えたキートップの第３の実施形態の説明＞
次に、照光の進行方向の変更手段を備えたキートップの第３の実施形態の構造を、図７に示す。図７に示すキートップ４の実施形態では、下側キートップ部材８の下面、特に下側表示層３２の抜き文字３２ａの領域に、上側にへこんだ凹面４４を設けて、下側表示層３２を通過した照光が、拡散する方向に進むようにしている。本実施形態によって、下側表示層３２に描かれた抜き文字の形状を、上側表示部３０の位置において、下側表示部３２に描かれた元の大きさなりも大きく、しかし、輪郭が比較的はっきりした状態で表すことができる。本実施形態では、表示物を、図５に示す実施形態よりも更に大きく表すことができ、照光の散乱は少ないので、図５に示す実施形態よりも更にはっきりした状態で表すことができる。
【００５１】
＜照光の進行方向の変更手段を備えたキートップの第４の実施形態の説明＞
次に、照光の進行方向の変更手段を備えたキートップの第４の実施形態の構造を、図８に示す。図８に示すキートップ４の実施形態では、下側キートップ部材８の下面、特に下側表示層３２の抜き文字３２ａの領域に、斜めに配置された入射面４６を設けて、下側表示層３２を通過した照光が、斜行するようにしている。本実施形態によって、下側表示層３２に描かれた抜き文字の形状を、上側表示部３０の位置において、変形した状態で表したり、下側表示部３２に描かれた元の位置から移動した位置に表すことができる。
なお、上述の照光の進行方向の変更手段は、下側キートップ部材８の下面だけでなく、上側キートップ部材６の下面に設けることも可能である。
【００５２】
（キートップ部材の間に曲面状の接合面を有するキートップの実施形態の説明）
次に、キートップ部材の間に平面ではない接合面を有するキートップの実施形態の説明を、図９を用いて行なう。図９に示す実施形態では、上側キートップ部材６と下側キートップ部材８との間の接合面が、平面ではなく、曲面、詳細に言えば、非球面で形成されている。従って、基板側からの照光が、非球面形状の接合面を通過するときに広がって進むので、上側表示層３０や下側表示層３２に描かれた表示物を、更に幻想的に浮き立たせることができる。
なお、上側キートップ部材６と下側キートップ部材８との間の接合面の形状は、非球面には限られず、球面、楕円面、放物面を始めとするあらゆる曲面を用いることができる。また、接合面を斜面にしたり、鋸状にしたり、波状にしたり、うねり形状にしたすることも可能であり、その他のあらゆる形状を用いることができる。
【００５３】
（３つのキートップ部材を有するキートップの実施形態の説明）
次に、３つのキートップ部材を有するキートップの実施形態の説明を、図１０を用いて行なう。図１０に示す実施形態では、キートップ４が、上側キートップ部材６、中間キートップ部材６’、及び下側キートップ部材８から構成されている。そして、上側キートップ部材６と中間キートップ部材６’との間の接合面に、上側表示層３０が設けられ、中間キートップ部材６’と下側キートップ部材８との間の接合面に、中間表示層３０’が設けられ、下側キートップ８の下面に下側表示層３２が設けられ、高さ方向の異なる３個の表示層を有する。
本実施形態では、高さ方向の異なる３つの表示層によって、更に幻想的な表示を行なうことができ、更に多彩なバリエーションを有する表示を行なうことができる。なお、用いるキーットップ部材の個数は３個に限られるものではなく、４個以上の任意の個数のキートップ部材を用いることができる。
【００５４】
（光源から各キートップへ照光を伝送する押し釦スイッチの構造の説明）
次に、図１１〜図１３を用いて、導光板（ライトガイド）を用いて、光源から各キートップ４へ照光を伝送する押し釦スイッチの構造の説明を行なう。
【００５５】
＜導光板を有する押し釦スイッチの第１の実施形態の説明＞
まず、図１１を用いて、導光板を有する押し釦スイッチの第１の実施形態の説明を行なう。なお、図１１は、キーシート２を側面から見た側面断面図である。
本実施形態では、複数の押し釦をカバーするように一体的に形成されたシート状のキーベース１０の所定位置に、図１〜図４に示すキートップ４が配置、固定されている。図１１は、その中の１つのキートップ４を示している。また、キーベース１０の側面には、光源１８が取り付けられており、光源１８から生じた照光が、図１１の矢印に示すように、キーベース１０の内部を略水平方向に進む。つまり、本実施形態では、キーベース１０自体が、導光板の役割を果たしている。
【００５６】
ここで、光源１８としては、本実施形態では、発光ダイオード（ＬＥＤ：Ｌｉｇｈｔ  Ｅｍｉｔｔｉｎｇ  Ｄｉｏｄｅ）が用いられているが、これに限られるものではなく、冷陰極管を始めとするあらゆる光源を用いることができる。
また、導光板となるキーベース１０は、上述と同様に、透明または透光性を有する弾性材料から構成されている。更に、キーベース１０のキートップ４が配置、固定された領域には、反射手段２０が設けられている。この反射手段２０は、例えば、キーベース１０の下面に白色インクで反射ドットを印刷することによって形成することもできるし、キーベース１０の下面にスタンパーやインジェクションで凹凸を付けることによって形成することもできるし、キーベース１０の下面に反射板をドット状の粘着材で貼り付けて形成することもできる。その他、光を反射させる手段であれば、あらゆる反射手段を用いることができる。
【００５７】
次に、光源１８から生じた照光の進み方を説明すると、光源１８から生じた照光は、図１１の矢印に示すように、シート状のキーベース１０の上面（内面）９及び下面（内面）で反射しながら略水平方向に進む。そのような略水平方向に進む照光のうち、反射手段２０に達した照光は上方へ反射してキートップ４の中へ入り、キートップ４内を上方へ進んで操作面６ａに達する。以上によって、キートップ４に、均一な照光（バックライト）を供給することができる。
また、反射手段２０で反射されなかった照光は、更にキーベース１０内を略水平方向に進んで、他のキートップに均一な照光（バックライト）を供給することができる。
【００５８】
以上のように、本実施形態では、光源１８をキートップ４から離隔した位置に配置することができ、更に、１つの光源１８から複数のキートップ４へ均一な照光を供給することができるので、従来に比べて、光源１８の数を大幅に削減することができる。
【００５９】
＜導光板を有する押し釦スイッチの第２の実施形態の説明＞
次に、図１２を用いて、導光板を有する押し釦スイッチの第２の実施形態の説明の説明を行なう。図１２も図１１と同様に、キーシート２を側面から見た断面図である。
本実施形態では、キーベース１０が各押し釦ごとに独立して形成され、補強版１２が、複数の押し釦をカバーするように一体的に形成されている。そして、個々のキーベース１０が、補強版１２の中の所定位置に嵌めこまれて固定されている。また、補強版１２の側面に光源１８が取り付けられており、この補強版１２が導光板の役割を果たしている。この点で上述の第１の実施形態と異なるが、その他の部材の構造については、第１の実施形態と同様である。
【００６０】
本実施形態では、補強版１２は、導光板として機能するため、透明または透光性を有する樹脂から構成され、また、補強板として機能するため、ある程度の硬度を有している。この補強板１２には、各押し釦が配置される位置に、キーベース１０を嵌めこむための穴が設けられている。補強板１２と、はめ込まれたキーベース１０とは、接合面２２を介して接合されている。本実施形態では、補強板１２及びキーベース１０は、融着によって接合されているが、これに限られるものではなく、接着剤を用いた接合方法を始めとするあらゆる接合方法を用いることができる。
【００６１】
次に、光源１８から生じた照光の進み方を説明すると、光源１８から生じた照光は、図１２の矢印に示すように、シート状の補強板１２の上面（内面）及び下面（内面）に反射しながら略水平方向に進み、補強板１２とキーベース１０との接合面２２に達する。その後、照光は接合面２２からキーベース１０の中へ入り、キーベース１０の内部を略水平方向に進む。これらの略水平方向に進む照光のうち、反射手段２０に達した照光は上方へ反射して、キートップ４の中へ入り、キートップ内を上方へ進んで操作面６ａに達する。以上によって、キートップ４に、均一な照光（バックライト）を供給することができる。
【００６２】
また、反射手段２０で反射されなかった照光は、更にキーベース１０内を略水平方向に進み、接合面２２を介して再び補強版１２の中を進み、他のキートップに均一な照光（バックライト）を供給することができる。
【００６３】
＜導光板を有する押し釦スイッチの第３の実施形態の説明＞
次に、図１３を用いて、導光板を有する押し釦スイッチの第３の実施形態の説明を行なう。図１３も図１１と同様に、キーシート２を側面から見た断面図である。
本実施形態では、キートップ４及びキーベース１０の構造は、図１１に示す第１の実施形態と基本的に同様である。しかし、本実施形態では、キーベースの押圧突起１０ａと基板１６に設けられた皿状接点１４との間に、導光板２４が設けられている。更に、この導光板２４の押し釦が配置される領域には、反射手段２０が設けられている。また、本実施形態では、光源１８は、キーベース１０ではなく、導光板２４の側面に取り付けられている。
【００６４】
本実施形態では、導光板２４は、透明または透光性を有する樹脂から構成されているが、これに限られるものではなく、照光を伝送可能で、押圧突起１０ａと皿状接点１４との間の圧力に耐えられる強度を有するものであれば、あらゆるものを用いることができる。
【００６５】
次に、光源１８から生じた照光の進み方を説明すると、光源１８から生じた照光は、図１３の矢印に示すように、シート状の導光板２４の上面（内面）及び下面（内面）に反射しながら略水平方向に進む。これらの略水平方向に進む照光のうち、反射手段２０に達した照光は上方向へ反射して、キーベース１０の中へ入り、更に上方へ進んでキートップ４の中へ入り、更にキートップ４内を上方へ進んで操作面６ａに達する。以上によって、キートップ４に、均一な照光（バックライト）を供給することができる。
また、反射手段２０で反射されなかった照光は、更に導光板２４の中を略水平方向に進み、他のキートップに均一な照光（バックライト）を供給することができる。
【００６６】
以上のように、導光板を有する押し釦スイッチの第１〜３の実施形態の何れの場合であっても、光源１８をキートップ４から離隔した位置に配置することができ、更に１つの光源１８から複数のキートップ４へ均一な照光を供給することができるので、従来に比べて、光源１８の数を大幅に削減することができる。
【００６７】
（本発明に係るキートップ、並びにこのキートップを備えたキーシート及び押し釦スイッチのその他の実施形態の説明）
本発明に係るキートップ、並びにこのキートップを備えたキーシート及び押し釦スイッチは、上述の実施形態に限られるものではなく、その他の様々な実施形態が本発明に含まれる。
【図面の簡単な説明】
【００６８】
【図１】本発明に係るバックライトを用いたキートップ、キーシートの構造を示す、側面断面図である。
【図２】図１に示すキートップ、キーシートの分解状態を示す側面断面図である。
【図３】図１に示すバックライトを用いたキートップを、操作面側から見た平面図である。
【図４】図１に示すキートップ、キーシートにおいて、バックライトの進む方向を示した側面断面図である。
【図５】照光の進行方向の変更手段を備えたキートップの第１の実施形態を示す側面断面図である。
【図６】照光の進行方向の変更手段を備えたキートップの第２の実施形態を示す側面断面図である。
【図７】照光の進行方向の変更手段を備えたキートップの第３の実施形態を示す側面断面図である。
【図８】照光の進行方向の変更手段を備えたキートップの第４の実施形態を示す側面断面図である。
【図９】キートップ部材の間に曲面状の接合面を有するキートップの実施形態を示す側面断面図である。
【図１０】３つのキートップ部材を有するキートップの実施形態を示すキートップの側面断面図である。
【図１１】導光板を有する押し釦スイッチの第１の実施形態を示す側面断面図である。
【図１２】導光板を有する押し釦スイッチの第２の実施形態を示す側面断面図である。
【図１３】導光板を有する押し釦スイッチの第３の実施形態を示す側面断面図である。
【符号の説明】
【００６９】
２      キーシート
４      キートップ
６      上側キートップ部材
６’    中間キートップ部材
６ａ    操作面
８      下側キートップ部材
１０    キーベース
１０ａ  押圧突起１０ａ
１２    補強板
１４    皿状接点
１６    基板
１８    光源
２０    反射手段
２２    接合面
２４    導光板
３０    上側表示層
３０’  中間表示層
３２    下側表示層
３２ａ  抜き文字部分
３４    接着層
３６    接着層
４０    凹凸面
４２    凸面
４４    凹面
４６    入射面
【図１】
2008171609.tif 000003
【図２】
2008171609.tif 000004
【図３】
2008171609.tif 000005
【図４】
2008171609.tif 000006
【図５】
2008171609.tif 000007
【図６】
2008171609.tif 000008
【図７】
2008171609.tif 000009
【図８】
2008171609.tif 000010
【図９】
2008171609.tif 000011
【図１０】
2008171609.tif 000012
【図１１】
2008171609.tif 000013
【図１２】
2008171609.tif 000014
【図１３】
2008171609.tif 000015